(57)【要約】【課題】  所定の場所におけるサービスを制御する場所サービス制御システムを提供する。【解決手段】  個人情報取得装置１は、所定の場所に存在する人の個人に関する情報を取得する。場所情報取得装置３は、所定の場所に関する情報を取得する。場所サービス制御装置５は、個人情報取得装置１により取得された複数の人についての個人に関する情報及び場所情報取得装置３により取得された所定の場所に関する情報に基づく制御態様で、当該所定の場所におけるサービスを制御する。一例として、所定の場所として部屋が用いられ、個人情報として希望室温が用いられ、場所情報としてセンサ２により検出される現在室温が用いられ、サービスとしてサービス機器４である空調機による空調が用いられ、複数の人の希望室温の平均値を設定室温とするように制御する。【選択図】  図２
2005208788.tif 000002
【特許請求の範囲】
【請求項１】
所定の場所におけるサービスを制御する場所サービス制御システムであって、
所定の場所に存在する人の個人に関する情報を取得する個人情報取得装置と、
所定の場所に関する情報を取得する場所情報取得装置と、
個人情報取得装置により取得された複数の人についての個人に関する情報及び場所情報取得装置により取得された所定の場所に関する情報に基づく制御態様で当該所定の場所におけるサービスを制御する場所サービス制御装置と、
を備えたことを特徴とする場所サービス制御システム。
【請求項２】
請求項１に記載の場所サービス制御システムにおいて、
個人情報取得装置は、それぞれの人により使用される通信装置から構成されており、
個人に関する情報を入力する個人情報入力手段と、
個人情報入力手段により入力された個人に関する情報を場所サービス制御装置に対して送信する個人情報送信手段と、を備えた、
ことを特徴とする場所サービス制御システム。
【請求項３】
請求項２に記載の場所サービス制御システムにおいて、
個人情報取得装置は、携帯型の無線通信装置から構成されており、
個人情報取得装置の個人情報送信手段は、個人に関する情報を無線により送信する、
ことを特徴とする場所サービス制御システム。
【請求項４】
請求項１乃至請求項３のいずれか１項に記載の場所サービス制御システムにおいて、
場所情報取得装置は、所定の場所に関する情報を取得する場所情報取得手段と、
場所情報取得手段により取得された所定の場所に関する情報を場所サービス制御装置に対して送信する場所情報送信手段と、を備えた、
ことを特徴とする場所サービス制御システム。
【請求項５】
請求項１乃至請求項４のいずれか１項に記載の場所サービス制御システムにおいて、
場所サービス制御装置は、個人情報取得装置から送信される個人に関する情報を受信する個人情報受信手段と、
場所情報取得装置から送信される所定の場所に関する情報を受信する場所情報受信手段と、
個人情報受信手段により受信された個人に関する情報と場所情報受信手段により受信された所定の場所に関する情報に基づく制御態様で当該所定の場所におけるサービスを制御する場所サービス制御手段と、を備えた、
ことを特徴とする場所サービス制御システム。
【請求項６】
請求項５に記載の場所サービス制御システムにおいて、
場所サービス制御装置の場所サービス制御手段は、個人情報受信手段により受信された個人に関する情報と場所情報受信手段により受信された所定の場所に関する情報から制御パラメータを生成する制御パラメータ生成手段と、
制御パラメータ生成手段により生成された制御パラメータを所定の制御ルールに適用して所定の場所におけるサービスを制御するための指示の情報を生成する場所サービス制御指示情報生成手段と、
場所サービス制御指示情報生成手段により生成された所定の場所におけるサービスを制御するための指示の情報に基づく制御態様で当該所定の場所におけるサービスを制御する場所サービス制御指示手段と、を有する、
ことを特徴とする場所サービス制御システム。
【請求項７】
請求項６に記載の場所サービス制御システムにおいて、
場所サービス制御装置は、個人に関する情報及び所定の場所に関する情報と、個人に関する情報及び所定の場所に関する情報から制御パラメータを生成する手順と、制御ルールとをそれぞれ独立して管理する、
ことを特徴とする場所サービス制御システム。
【請求項８】
請求項１乃至請求項７のいずれか１項に記載の場所サービス制御システムにおいて、
場所サービス制御装置は、所定の場所に存在する人の数が所定の閾値以上となったこと或いは所定の閾値を超えたことに応じて、当該所定の場所におけるサービスを制御する処理を開始する、
ことを特徴とする場所サービス制御システム。
【請求項９】
請求項１乃至請求項８のいずれか１項に記載の場所サービス制御システムにおいて、
個人に関する情報は、所定の場所におけるサービスに対して個人が希望する内容を示す情報であり、
所定の場所に関する情報は、当該所定の場所におけるサービスに関する状況を示す情報である、
ことを特徴とする場所サービス制御システム。
【請求項１０】
所定の場所におけるサービスを制御する場所サービス制御システムにおける場所サービス制御方法において、
個人情報取得装置が、所定の場所に存在する人の個人に関する情報を取得し、
場所情報取得装置が、所定の場所に関する情報を取得し、
場所サービス制御装置が、個人情報取得装置により取得された複数の人についての個人に関する情報及び場所情報取得装置により取得された所定の場所に関する情報に基づく制御態様で当該所定の場所におけるサービスを制御する、
ことを特徴とする場所サービス制御方法。
【請求項１１】
所定の場所におけるサービスを制御する場所サービス制御システムを構成するコンピュータに実行させるプログラムであって、
所定の場所に存在する人の個人に関する情報を取得する機能と、
所定の場所に関する情報を取得する機能と、
取得した複数の人についての個人に関する情報及び取得した所定の場所に関する情報に基づく制御態様で当該所定の場所におけるサービスを制御する機能を、当該コンピュータにより実現する、
ことを特徴とするプログラム。
【請求項１２】
所定の場所におけるサービスを制御する場所サービス制御システムを構成するコンピュータに実行させるプログラムを当該コンピュータの入力手段により読み取り可能に記憶した記憶媒体であって、
当該プログラムは、所定の場所に存在する人の個人に関する情報を取得する処理と、
所定の場所に関する情報を取得する処理と、
取得した複数の人についての個人に関する情報及び取得した所定の場所に関する情報に基づく制御態様で当該所定の場所におけるサービスを制御する処理を、当該コンピュータに実行させる、
ことを特徴とする記憶媒体。
【発明の詳細な説明】
【技術分野】
【０００１】
本発明は、所定の場所におけるサービスを制御する場所サービス制御システムなどに関し、特に、個人の情報と場所の情報に基づいて、当該場所に設置されたサービス機器を制御する場所サービス制御システムなどに関する。
【背景技術】
【０００２】
従来では、例えば、携帯カードと通信する通信装置を用いて迷子の案内を支援する装置が検討されていた（例えば、特許文献１参照。）。なお、この技術は、連絡を取り合うという目的に特化されたものであり、複数の人の組み合わせによるサービスを生成するものではない。
また、従来では、例えば、視聴者の位置を自動的に検出して、ステレオの左右の音量のバランスを自動的に調整する装置が検討されていた（例えば、特許文献２参照。）。なお、この技術では、人数によってサービスが動的に変わるが、サービスに対する要求を個々人が任意に設定して保持するようなことは行われない。
また、従来では、例えば、端末の利用者が端末の前に座った際に、位置と識別（ＩＤ）情報を検出して、利用者個人の作業環境を提供する装置が検討されていた（例えば、特許文献３参照。）。なお、この技術は、個人に対する限定されたサービスである。
【０００３】
【特許文献１】特開平４−３１１３００号公報
【特許文献２】特開平５−１３７２００号公報
【特許文献３】特開平５−２３３６５０号公報
【発明の開示】
【発明が解決しようとする課題】
【０００４】
しかしながら、従来では、例えば、或る場所に人々が集まった際に何らかのサービスを提供する場合には、集まる人々の数や目的などといった人々の特性や、場所の広さや設備などといった場所の特性を事前に調べて、空調の温度や照明の数などといったサービスの態様を事前に設計しておくことが必要であり、非常に煩雑な作業となっていた。
本発明は、このような従来の事情に鑑み為されたもので、例えば、人々が所定の場所に偶発的に集まったような場合においても、当該場所におけるサービスの態様を最適化することが可能な場所サービス制御システムなどを提供することを目的とする。
【課題を解決するための手段】
【０００５】
上記目的を達成するため、本発明に係る場所サービス制御システムでは、次のような構成により、所定の場所におけるサービスを制御する。
すなわち、個人情報取得装置が、所定の場所に存在する人の個人に関する情報（個人情報）を取得する。また、場所情報取得装置が、所定の場所に関する情報（場所情報）を取得する。そして、場所サービス制御装置が、個人情報取得装置により取得された複数の人についての個人に関する情報及び場所情報取得装置により取得された所定の場所に関する情報に基づく制御態様で、当該所定の場所におけるサービスを制御する。
【０００６】
従って、所定の場所に存在する複数の人についての個人情報と当該所定の場所についての場所情報に基づく制御態様で、当該所定の場所におけるサービスを制御することにより、例えば、人々が所定の場所に偶発的に集まったような場合においても、当該場所におけるサービスの態様を最適化することが可能である。
【０００７】
ここで、所定の場所としては、種々な場所が用いられてもよく、例えば、会議室や休憩室などのような屋内の領域が用いられてもよく、或いは、野外の集会場や休憩スペースなどのような屋外の領域が用いられてもよい。
また、所定の場所におけるサービスとしては、種々なものが用いられてもよく、例えば、サービス機器である空調機（エアコンディショナ）により空調を行うサービスや、サービス機器である音響設備により音楽を演奏するサービスや、サービス機器であるテレビや電子掲示板などの情報表示装置により情報を画面に表示するサービスや、サービス機器である照明機器により照明を点灯するサービスや、サービス機器であるプロジェクタなどの会議室用機器により情報を映写などするサービスなどを用いることができる。
【０００８】
また、個人に関する情報としては、種々な情報が用いられてもよく、例えば、所定の場所におけるサービスを制御する態様を決定する際に考慮される情報が用いられ、具体的には、空調サービスについて希望温度の情報や、演奏サービスについて希望楽曲或いは希望音量の情報や、情報表示サービスについて希望表示時間或いは希望表示内容の情報や、照明点灯サービスについて希望点灯時間或いは希望明るさの情報などを用いることができる。
【０００９】
また、所定の場所に関する情報としては、種々なものが用いられてもよく、例えば、所定の場所におけるサービスにより変化させられる環境の情報や、所定の場所におけるサービスに関する人々の状況の情報が用いられ、具体的には、空調サービスについて所定の場所における現在の温度の情報や、演奏サービスについて所定の場所における人々の会話の状況の情報や、情報表示サービスについて所定の場所における人々の顔の向きの状況或いは人々の位置の情報や、照明点灯サービスについて所定の場所における現在の明るさの情報などを用いることができる。また、所定の場所に関する情報としては、例えば、各種のサービスについて、当該所定の場所に存在する人の数の情報を用いることもできる。
【００１０】
また、所定の場所に関する情報としては、例えば、１つの検出手段（例えば、センサ）により検出された結果の情報が用いられてもよく、或いは、２以上の検出手段により検出された結果を平均した結果の情報が用いられてもよい。
また、個人に関する情報は、例えば、一定の情報或いは時間的に変化し得る情報であり、一例として、それぞれの人により定期的に或いはリアルタイムに変更することが可能なものである。
また、所定の場所に関する情報は、例えば、時間的に変化し得る情報であり、一例として、定期的に或いはリアルタイムに変化するものである。
【００１１】
また、所定の場所におけるサービスを制御するための制御態様としては、種々なものが用いられてもよく、例えば、所定の場所に関する情報として取得される当該所定の場所における環境や人々の状況の情報に基づいていて且つ個人に関する情報として取得される人々の希望に適合するような制御態様を用いることができる。
【００１２】
具体的には、空調サービスについて所定の場所における現在の温度を他の温度へ変えるように空調機を制御する制御態様や、演奏サービスについて所定の場所における人々の会話の状況と各人による希望音量に基づいて音響設備による音量を制御する制御態様や、情報表示サービスについて所定の場所における人々の顔の向きの状況或いは人々の位置の情報と各人による希望表示内容に基づいて情報表示装置による表示内容などを制御する制御態様や、照明点灯サービスについて所定の場所における現在の明るさを他の明るさへ変えるように照明のオンオフを制御する制御態様などを用いることができる。
【００１３】
また、例えば、所定の場所におけるサービスを実行するサービス機器を当該所定の場所に複数設置するような構成が用いられてもよい。
一例として、或るサービス動作を希望している人の近くに設置されたサービス機器を当該希望が満たされるように制御する一方で、他のサービス動作を希望している人の近くに設置された他のサービス機器を当該希望が満たされるように制御するような制御態様を用いることも可能である。
【００１４】
また、個人情報取得装置としては、例えば、それぞれの人毎に所持されるような装置が用いられてもよく、或いは、複数の人についての個人情報をまとめて保持するサーバ装置などのような装置が用いられてもよい。
また、所定の場所に関する情報を取得する機能は、例えば、当該所定の場所に設けられる。
また、所定の場所におけるサービスを実行する機能は、例えば、当該所定の場所に設けられる。
【００１５】
本発明に係る場所サービス制御システムでは、一構成例として、個人情報取得装置を次のような構成とした。
すなわち、個人情報取得装置は、それぞれの人により使用される通信装置から構成される。また、個人情報取得装置では、個人情報入力手段が個人に関する情報を入力し、個人情報送信手段が個人情報入力手段により入力された個人に関する情報を場所サービス制御装置に対して送信する。
従って、それぞれの人により使用される個人情報取得装置により個人情報を入力して送信することができる。
【００１６】
ここで、通信装置としては、種々なものが用いられてもよく、例えば、通信機能を有したＰＤＡ（Personal Digital Assistant）や、携帯電話端末装置や、通信機能を有したパーソナルコンピュータなどを用いることができる。
また、個人情報入力手段としては、例えば、人（ユーザ）がキーボードやマウスなどを操作して情報を入力するような手段が用いられてもよく、或いは、外部の装置から情報を入力するような手段が用いられてもよい。
また、個人情報送信手段としては、種々な情報通信機能が用いられてもよく、例えば、有線による通信機能が用いられてもよく、或いは、無線による通信機能が用いられてもよい。
【００１７】
また、個人情報取得装置では、例えば、個人情報入力手段により入力された個人に関する情報を記憶する個人情報記憶手段や、各種の情報を画面に表示出力する情報表示手段などを備えてもよい。
なお、個人情報記憶手段としては、例えば、メモリやデータベースを用いて構成することができる。
【００１８】
本発明に係る場所サービス制御システムでは、一構成例として、個人情報取得装置を更に次のような構成とした。
すなわち、個人情報取得装置は、携帯型の無線通信装置から構成される。そして、個人情報取得装置の個人情報送信手段は、個人に関する情報を無線により送信する。
従って、それぞれの人により携帯される個人情報取得装置が用いられることにより、それぞれの人による個人情報の入力作業が行い易くなり、また、それぞれの人は自分の個人情報取得装置を種々な場所へ持ち運ぶことが可能であるため便利である。
【００１９】
本発明に係る場所サービス制御システムでは、一構成例として、場所情報取得装置を次のような構成とした。
すなわち、場所情報取得装置では、場所情報取得手段が所定の場所に関する情報を取得し、場所情報送信手段が場所情報取得手段により取得された所定の場所に関する情報を場所サービス制御装置に対して送信する。
従って、場所情報取得装置から場所サービス制御装置に対して場所情報を通知することができる。
【００２０】
ここで、場所情報取得手段としては、例えば、所定の場所に関する情報を検出するセンサなどの場所情報検出手段から構成されてもよく、或いは、外部に設けられた場所情報検出手段により検出された情報を入力して取得するような手段から構成されてもよい。
また、場所情報送信手段としては、種々な情報通信機能が用いられてもよく、例えば、有線による通信機能が用いられてもよく、或いは、無線による通信機能が用いられてもよい。
【００２１】
本発明に係る場所サービス制御システムでは、一構成例として、場所サービス制御装置を次のような構成とした。
すなわち、場所サービス制御装置では、個人情報受信手段が個人情報取得装置から送信される個人に関する情報を受信し、場所情報受信手段が場所情報取得装置から送信される所定の場所に関する情報を受信し、そして、場所サービス制御手段が、個人情報受信手段により受信された個人に関する情報と場所情報受信手段により受信された所定の場所に関する情報に基づく制御態様で、当該所定の場所におけるサービスを制御する。
従って、個人情報取得装置から受信される個人情報と場所情報取得装置から受信される場所情報に基づいて所定の場所におけるサービスを制御することができる。
【００２２】
本発明に係る場所サービス制御システムでは、一構成例として、場所サービス制御装置を更に次のような構成とした。
すなわち、場所サービス制御装置の場所サービス制御手段では、制御パラメータ生成手段が個人情報受信手段により受信された個人に関する情報と場所情報受信手段により受信された所定の場所に関する情報から制御パラメータを生成し、場所サービス制御指示情報生成手段が制御パラメータ生成手段により生成された制御パラメータを所定の制御ルールに適用して所定の場所におけるサービスを制御するための指示の情報（制御指示情報）を生成し、場所サービス制御指示手段が場所サービス制御指示情報生成手段により生成された所定の場所におけるサービスを制御するための指示の情報に基づく制御態様で当該所定の場所におけるサービスを制御する。
【００２３】
従って、個人情報と場所情報から制御パラメータを生成して、当該制御パラメータを所定の制御ルールに適用して所定の場所におけるサービスを制御するための制御指示情報を生成し、当該制御指示情報に基づいて所定の場所におけるサービスを制御することができる。このように、個人情報と場所情報から直接的に制御態様を生成する構成のほかに、個人情報と場所情報から制御パラメータを生成して当該制御パラメータと制御ルールから制御態様を生成する構成を用いることができる。
【００２４】
ここで、制御パラメータとしては、種々なものが用いられてもよく、例えば、個人情報或いは場所情報の一方又は両方を所定の演算の手順に代入して得られるような情報を用いることができる。また、当該演算としては、例えば、平均演算、和集合演算（ＯＲ）、積集合演算（ＡＮＤ）などの１以上を用いて記述される。また、例えば、個人情報或いは場所情報の一方又は両方がそのまま制御パラメータの一部の情報として用いられるような態様が用いられてもよい。
【００２５】
また、所定の制御ルールとしては、種々なルールが用いられてもよく、例えば、制御パラメータに応じて所定の場所におけるサービスを制御する制御指示情報が決定されるようなルールを用いることができ、一例として、制御パラメータを所定の演算の手順に代入すると制御指示情報が得られるようなルールを用いることができる。当該演算としては、例えば、条件文演算（「もしも〜であれば、〜とする」という演算）などを用いることができる。
【００２６】
本発明に係る場所サービス制御システムでは、一構成例として、場所サービス制御装置を更に次のような構成とした。
すなわち、場所サービス制御装置では、個人に関する情報及び所定の場所に関する情報と、個人に関する情報及び所定の場所に関する情報から制御パラメータを生成する手順と、制御ルールとをそれぞれ独立して管理する。更に、一構成例として、個人に関する情報と、所定の場所に関する情報についても、互いに独立して管理する。
【００２７】
従って、例えば、制御対象となるサービス機器の種類や、個人情報の種類や、場所情報の種類や、制御パラメータの生成手順（演算手順）や、制御ルールなどに変更があるような場合においても、これらの変更に対応することが容易に可能である。一例として、個人情報及び場所情報から制御パラメータを生成する手順や、制御パラメータから制御指示情報を生成する制御ルールとして、一定化された枠組み（フレームワーク）を設定することなどができる。
【００２８】
ここで、場所サービス制御手段としては、例えば、所定の場所におけるサービスを実行するサービス機器などの場所サービス実行手段を有して構成されてもよく、或いは、外部に設けられた場所サービス実行手段を制御するような構成が用いられてもよい。
また、場所サービス制御装置では、例えば、個人情報、場所情報、制御パラメータ、制御ルール、制御指示情報、の１以上を記憶する情報記憶手段や、制御ルールなどの各種の情報を入力する情報入力手段や、各種の情報を画面に表示出力する情報表示手段などを備えてもよい。
なお、情報記憶手段としては、例えば、メモリやデータベースを用いて構成することができる。
【００２９】
本発明に係る場所サービス制御システムでは、一構成例として、場所サービス制御装置は、所定の場所に存在する人の数が所定の閾値以上となったこと或いは所定の閾値を超えたことに応じて、当該所定の場所におけるサービスを制御する処理を開始する。
従って、例えば、所定の場所に存在する人の数が所定の閾値以上であるとき（或いは、所定の閾値を超えるとき）には当該所定の場所におけるサービスを制御する一方、所定の場所に存在する人の数が所定の閾値未満であるとき（或いは、所定の閾値以下であるとき）には当該所定の場所におけるサービスを制御しないようなことができる。
ここで、所定の閾値としては、種々な値が用いられてもよく、例えば、１（人）の値や、２（人）の値や、３（人）以上の値を用いることができる。
【００３０】
本発明に係る場所サービス制御システムでは、一構成例として、個人に関する情報は、所定の場所におけるサービスに対して個人が希望する内容を示す情報であり、また、所定の場所に関する情報は、当該所定の場所におけるサービスに関する状況を示す情報である。
従って、所定の場所におけるサービスに対して複数の個人が希望する内容（例えば、希望室温など）と、当該所定の場所におけるサービスに関する状況（例えば、現在室温など）に基づいて、当該所定の場所におけるサービスを、例えばこれら複数の個人の希望内容になるべく合わせるように制御することができる。
【００３１】
本発明は、以上に示したようなシステムや装置における各種の処理を実行する方法として提供することもできる。
一例として、本発明に係る場所サービス制御方法では、次のようにして、所定の場所におけるサービスを制御する処理を行う。
すなわち、場所サービス制御システムにおいて、個人情報取得装置が所定の場所に存在する人の個人に関する情報を取得し、場所情報取得装置が所定の場所に関する情報を取得し、そして、場所サービス制御装置が、個人情報取得装置により取得された複数の人についての個人に関する情報及び場所情報取得装置により取得された所定の場所に関する情報に基づく制御態様で、当該所定の場所におけるサービスを制御する。
【００３２】
本発明は、以上に示したようなシステムや装置における各種の処理を実行するためのプログラムとして提供することもできる。
一例として、本発明に係るプログラムは、所定の場所におけるサービスを制御する場所サービス制御システムを構成するコンピュータに実行させるプログラムであって、所定の場所に存在する人の個人に関する情報を取得する機能と、所定の場所に関する情報を取得する機能と、取得した複数の人についての個人に関する情報及び取得した所定の場所に関する情報に基づく制御態様で当該所定の場所におけるサービスを制御する機能を、当該コンピュータにより実現する。
【００３３】
本発明は、以上に示したようなシステムや装置における各種の処理を実行するためのプログラムを格納する記憶媒体として提供することもできる。
一例として、本発明に係る記憶媒体は、所定の場所におけるサービスを制御する場所サービス制御システムを構成するコンピュータに実行させるプログラムを当該コンピュータの入力手段により読み取り可能に記憶しており、そして、当該プログラムは、所定の場所に存在する人の個人に関する情報を取得する処理と、所定の場所に関する情報を取得する処理と、取得した複数の人についての個人に関する情報及び取得した所定の場所に関する情報に基づく制御態様で当該所定の場所におけるサービスを制御する処理を、当該コンピュータに実行させる。
なお、記憶媒体としては、種々なものが用いられてもよい。
【発明の効果】
【００３４】
以上説明したように、本発明に係る場所サービス制御システムなどによると、個人情報取得装置が所定の場所に存在する人の個人情報を取得し、場所情報取得装置が所定の場所の場所情報を取得し、場所サービス制御装置が個人情報取得装置により取得された複数の人についての個人情報及び場所情報取得装置により取得された場所情報に基づく制御態様で当該所定の場所におけるサービスを制御するようにしたため、例えば、人々が所定の場所に集まる場合に、当該場所におけるサービスの態様をこれらの人々にとって最適化することが可能である。
【発明を実施するための最良の形態】
【００３５】
本発明に係る実施例を図面を参照して説明する。
図１には、本発明の一実施例に係る場所サービス制御システムの概略的な構成例を示してある。
本例の場所サービス制御システムは、個人に関する情報（個人情報）を保持する個人情報保持装置１と、場所に関する情報（場所情報）を検出する各種のセンサ２と、センサ２から場所情報を獲得する場所情報獲得装置３と、場所に対してサービスを行う各種のサービス機器４と、個人情報保持装置１から個人情報を取得するとともに場所情報獲得装置３から場所情報を取得してサービス機器４を制御するサービス制御装置５を備えている。
【００３６】
ここで、個人情報保持装置１としては、例えば、複数の人（ユーザ）のそれぞれにより携帯などされるＰＤＡ（Personal Digital Assistant）や携帯電話端末装置やパーソナルコンピュータ（ＰＣ）などを用いることができる。それぞれの個人情報保持装置１では、使用者（ユーザ）を識別する識別情報や、当該使用者により設定される個人情報を保持する。
【００３７】
また、他の構成例として、個人情報保持装置１としてサーバ装置などを用いて、当該サーバ装置などにおいて人（ユーザ）の識別情報と当該人の個人情報との対応を記憶するような構成を用いることもできる。この場合、例えば、それぞれの人により携帯などされるＰＤＡや携帯電話端末装置やパーソナルコンピュータなどから当該サーバ装置などに対して個人情報の変更指示を送信するような構成を用いることが可能である。
【００３８】
また、適用対象となる場所としては、例えば、所定の会議室或いは休憩室などの部屋や、所定の屋外集会場或いは屋外休憩所などの屋外領域などを用いることができる。
センサ２としては、例えば、温度を検出する温度センサや、人の位置を検出する人位置センサなどを用いることができ、モニタが用いられてもよい。また、センサ２は、適用対象となる場所に設置される、或いは、適用対象となる場所における情報を検出することが可能なところに設置される。
なお、本例では、センサ２と場所情報獲得部３とを別体として構成したが、これらを一体化した構成を用いることも可能である。
【００３９】
サービス機器４としては、例えば、プロジェクタなどの会議用機器や、蛍光灯などの照明機器や、エアコンディショナ（エアコン）などの空調機器などを用いることができる。また、サービス機器４は、適用対象となる場所に設置される、或いは、適用対象となる場所に対してサービスを提供することが可能なところに設置される。
なお、本例では、サービス機器４とサービス制御装置５とを別体として構成したが、これらを一体化した構成を用いることも可能である。
【００４０】
図２には、本例の場所サービス制御システムの機能的な構成例を示してある。
個人情報保持装置１は、例えばユーザにより情報の入力や編集や表示を行う情報入力・編集・表示部１１と、情報を蓄積する情報蓄積部１２と、情報を通信する情報通信部１３を備えている。
場所情報獲得部３は、情報を獲得する情報獲得部２１と、情報を通信する情報通信部２２を備えている。
【００４１】
サービス制御装置５は、例えばユーザにより情報の入力や編集や表示を行う情報入力・編集・表示部３１と、制御パラメータを編集する制御パラメータ編集部３２と、制御ルールを編集する制御ルール編集部３３と、情報を蓄積する情報蓄積部３４と、サービスに関する指示を行うサービス指示部３５と、情報を通信する情報通信部３６を備えている。
【００４２】
まず、本例の場所サービス制御システムにより行われる動作の一例を示す。
場所サービス制御システムの適用対象として、会議室などの所定の場所が用いられている。所定の場所に集まる人々はそれぞれ、通信機能を有した個人情報保持装置１を所持する。それぞれの人の個人情報保持装置１では、例えばユーザが情報入力・編集・表示部１１を操作することにより、各個人の個人情報が登録されて情報蓄積部１２に蓄積される。なお、情報入力・編集・表示部１１は、ユーザから情報を入力する処理のほかに、ユーザにより情報を編集する処理や、ユーザに対して情報を表示する処理を行うことも可能である。
【００４３】
また、それぞれの人の個人情報保持装置１では、例えば常時或いは定期的に或いはイベント発生時などに、情報蓄積部１２に蓄積された個人情報を情報通信部１３によりサービス制御装置５に対して送信する。
ここで、個人情報としては、例えば、各人の識別情報や所属情報やスケジュール情報などのように個人のプロファイル情報や、サービスに対する希望値や必要情報などのように場所に対する個人のサービス要求情報などが用いられる。
【００４４】
また、所定の場所には、センサ２や、通信機能を有した場所情報獲得装置３が設置されている。センサ２では、設置された所定の場所に関する場所情報を検出して、当該検出した場所情報を場所情報獲得装置３へ出力する。場所情報獲得装置３では、センサ２から出力される場所情報を情報獲得部２１により獲得してメモリなどに収集蓄積し、例えば常時或いは定期的に或いはイベント発生時などに、獲得した場所情報を情報通信部２２によりサービス制御装置５に対して送信する。
【００４５】
また、所定の場所には、サービス機器４が設置されている。サービス機器４では、設置された所定の場所に対してサービスを提供する機能を有しており、当該サービスの態様はサービス制御装置５により制御され得る。
サービス制御装置５では、例えばユーザが情報入力・編集・表示部３１を操作することにより、個人情報と場所情報に基づいてサービス機器４を制御するための制御ルールが登録されて情報蓄積部３４に蓄積される。なお、情報入力・編集・表示部３１は、ユーザから情報を入力する処理のほかに、ユーザにより情報を編集する処理や、ユーザに対して情報を表示する処理を行うことも可能である。
【００４６】
また、サービス制御装置５では、情報通信部３６により、所定の場所に入場した人の個人情報保持装置１から送信される個人情報を受信して取得するとともに、当該所定の場所に設置された場所情報獲得装置３から送信される場所情報を受信して取得し、そして、取得した個人情報及び場所情報を制御パラメータとして情報蓄積部３４に蓄積する。本例では、制御パラメータは、制御ルールにおいて利用される。
【００４７】
また、サービス制御装置５では、情報蓄積部３４は、制御ルール及び制御パラメータなどを蓄積する。制御パラメータの値である個人情報や場所情報は、例えば常時或いは定期的に或いはイベント発生時などに、個人情報保持装置１や場所情報獲得装置３からの通信によって受信されて更新される。
また、サービス制御装置５では、制御パラメータ編集部３２は、新たに追加や削除されて更新された個人情報や場所情報を制御パラメータへ変換して情報蓄積部３４に登録（蓄積）することや、制御パラメータを編集することを行う。
【００４８】
また、サービス制御装置５では、制御ルール編集部３３は、制御パラメータを制御ルールに適用して、サービス機器４に対する制御を行うことが必要であるか否かを判断し、当該制御が必要であると判断した場合には制御パラメータと制御ルールから当該制御のための指示の情報（制御指示情報）を生成する。また、制御ルール編集部３３は、例えば情報入力・編集・表示部３１を使用して、制御ルールを情報蓄積部３４に登録（蓄積）することや、制御ルールを編集することを行う。
また、サービス制御装置５では、サービス指示部３５は、制御ルール編集部３３により生成された制御指示情報に基づく指示（制御指示）をサービス機器４に対して発し（出力し）、これにより、当該サービス機器４により所定の場所に対して提供されるサービスの態様を制御する。
【００４９】
次に、図３を参照して、本例の場所サービス制御システムのサービス制御装置５により行われるサービス制御処理の手順の一例を示す。
すなわち、サービス制御装置５では、サービス制御に係る監視を行う場合には、情報通信部３６により、所定の場所に存在する個人情報保持装置１から各人の個人情報を取得するとともに（ステップＳ１）、所定の場所に設置された場所情報獲得装置３から当該所定の場所の場所情報を取得する（ステップＳ２）。
【００５０】
また、サービス制御装置５では、制御パラメータ編集部３２により、取得した個人情報及び場所情報から制御パラメータを取得し（ステップＳ３）、制御ルール編集部３３により、制御パラメータを制御ルールへ適用する（ステップＳ４）。
この結果、サービス機器４に対して制御指示を行うことが必要であると判断された場合には（ステップＳ５）、サービス制御装置５では、サービス指示部３５により、制御パラメータを制御ルールへ適用して得られた制御指示情報に基づく制御指示をサービス機器４に対して発する（ステップＳ６）。これにより、サービス機器４では、サービス制御装置５から入力される制御指示に従ってサービスの態様を変更する。
【実施例１】
【００５１】
本発明の第１実施例を説明する。
本例では、場所サービス制御システムの適用対象となる場所として会議室などの部屋を用いており、センサ２として温度を検出する温度センサを用いており、サービス機器４として空調を行う空調機（エアコンディショナ）を用いている。そして、空調設定を制御する。
【００５２】
また、本例では、制御ルールとして、所定の場所内に存在する人の希望室温の平均値と現在室温との間に所定の閾値以上の差（又は、所定の閾値を超える差）がある場合に制御指示が必要であると判断するルールを用いている。また、本例の制御ルールでは、所定の場所内に存在する人の希望室温の平均値を設定室温とする制御指示情報を生成し、また、現在室温と当該設定室温との差の大きさに応じて風力を設定する制御指示情報を生成する。
【００５３】
図４（Ａ）には、サービス制御装置５により蓄積される個人情報の一例を示してある。
具体的には、それぞれの人を識別する識別情報（“人ＩＤ”）である“００１”や“００２”に対応して、それぞれの人により設定される希望の室温（“希望室温”）である“１８”（度）や“２２”（度）が記憶されている。ここで、これら２人の希望室温の平均値は２０（＝（１８＋２２）／２）となる。
【００５４】
図４（Ｂ）には、サービス制御装置５により蓄積される場所情報の一例を示してある。
具体的には、場所を識別する識別情報（“場所ＩＤ”）である“１０１”に対応して、当該場所における現在の室温（“現在室温”）である“２４”（度）が記憶されている。
【００５５】
図５（Ａ）には、図４（Ａ）、（Ｂ）に示されるのと同じ個人情報及び場所情報を示してある。
図５（Ｂ）には、図５（Ａ）に示される個人情報及び場所情報から生成される制御パラメータの一例を示してある。
具体的には、制御パラメータとして、所定の場所内に在室する人の数（“在室者数”）である“２”（人）という情報や、それぞれの人の希望室温の平均値（“希望室温平均”）である“２０”（度）という情報や、所定の場所における現在の室温（“現在室温”）である“２４”（度）という情報や、サービス機器４である１又は複数の空調機を識別する識別情報（“空調機０１”など）毎の設定態様（“空調機０１設定”など）である“｛Ｏｆｆ：−：−｝”（空調をオフとする態様）という情報が記憶されている。
【００５６】
図５（Ｃ）には、制御ルールの一例を示してある。
具体的には、本例の制御ルールでは、所定の場所内の在室者数が２人以上である（“在室者数＞１”である）場合に、現在室温と希望室温平均（設定室温）との差の絶対値（“｜現在室温−希望室温平均｜”）ｉについて、次のような判断を行う。
すなわち、現在室温と希望室温平均（設定室温）との差ｉがおよそ０度である（“ｉ＜１である”）場合には制御指示は不要である（“Ｎｏ  Ａｃｔｉｏｎ”である）と判断し、当該差ｉがおよそ２度以内である（“ｉ＜３”である）場合には“弱”の風力で制御指示が必要であると判断し、当該差ｉがおよそ４度以内である（“ｉ＜５”である）場合には“中”の風力で制御指示が必要であると判断し、当該差ｉがおよそ５度以上である（“ｉ≧５”である）場合には“強”の風力で制御指示が必要であると判断する。また、図５（Ｃ）の例では、識別情報“空調機０１”に対応する空調機を、所定の場所の温度が“希望室温平均”（設定室温）となるように制御する場合を示してある。
【００５７】
図５（Ｄ）には、図５（Ｂ）に示される制御パラメータを図５（Ｃ）に示される制御ルールへ適用して生成される制御指示情報の一例を示してある。
具体的には、制御対象となるサービス機器４を識別する識別情報である“機器名（ＩＤ）”として“空調機０１”が設定されており、制御態様である“設定室温”として“２０”（度）が設定されており、制御態様である“風力”として“中”（段階）が設定されている。
【００５８】
なお、本例のサービス制御装置５では、入力情報である個人情報や場所情報と、制御パラメータの生成手順と、制御ルールと、制御指示情報とをそれぞれ独立した情報として保持して計算プログラムを介して互いに対応付けるような構成としてあり、これにより、例えば、センサ２やサービス機器４の追加或いは削除や制御ルールの変更などがあるような場合においても、それぞれ独立した情報を修正などすればよいため、編集作業が容易となる。
【００５９】
次に、図６（Ａ）、（Ｂ）、（Ｃ）を参照して、サービス制御装置５によりリアルタイムでサービス機器４を制御する様子の一例を示す。
図６（Ａ）には、個人情報保持装置１から取得される情報の一例を示してあり、具体的には、人を識別する“人ＩＤ”と、それぞれの人により設定された“希望室温”と、これらの個人情報が確認（取得）された時間である“確認時間”とが対応付けられて、時間（ｔ）の流れに沿って蓄積されている。
【００６０】
例えば、“人ＩＤ”が“００１”である人については、“１０：００”の時間では“希望室温”が“２０”（度）に設定されており、“１０：０３”の時間では暑いことを感じたために“希望室温”が下げられて “１８”（度）に設定されている。また、“人ＩＤ”が“００２”である人については、“１０：００”の時間では“希望室温”が“２０”（度）に設定されており、“１０：０５”の時間では寒いことを感じたために“希望室温”が上げられて“２２”（度）に設定されている。また、“人ＩＤ”が“００３”である人については、“１０：００”の時間では“希望室温”が“２０”（度）に設定されており、“１０：０５”の時間においてもそのままの設定とされている。なお、本例では、所定の場所に存在しない人についても、“希望室温”の初期値が設定される構成としてある。
【００６１】
図６（Ｂ）には、場所情報獲得装置３から取得される情報の一例を示してあり、具体的には、情報を受信した時間である“受信時間”と、場所（本例では、部屋）を識別する“部屋ＩＤ”と、当該場所に存在する人を識別する“在室者ＩＤ”と、センサ２による温度検出結果やサービス機器４によるサービス態様といった“機器状態”とが対応付けられて、時間（ｔ）の流れに沿って蓄積されている。
【００６２】
なお、本例では、場所情報獲得装置３は、所定の場所に存在する人の個人情報保持装置１と情報通信部２２により無線通信することなどにより、当該所定の場所に存在する人或いは個人情報保持装置１の識別情報（“在室者ＩＤ”）を取得する。
また、本例では、場所情報獲得装置３は、所定の場所に設置されたサービス機器４である空調機（“空調機０１”）と情報通信部２２により通信することなどにより、当該空調機の動作状態の情報を取得する。
【００６３】
例えば、“０９：５７”の時間や“１０：００”の時間には“部屋ＩＤ”が“１０１”である所定の場所には誰もおらず、“１０：０３”以降の時間には“人ＩＤ”が“００１”である人が在室しており、“１０：０６”以降の時間には“人ＩＤ”が“００２”である人も在室している。また、“１０：０９”の時間以前では、センサ２として用いられている識別情報“室温計００”に対応した室温計により検出される温度が“２４”（度）であり、“１０：１２”の時間では、当該室温計により検出される温度が“２２”（度）に下がっている。また、“１０：０９”の時間以前では、サービス機器４として用いられている識別情報“空調機０１”に対応した空調機は停止状態（“Ｏｆｆ：−：−”）であり、その後、“１０：１２”の時間では、当該空調機は設定室温を２０度として中の風力で空調する態様（“Ｏｎ：２０：中”）で動作している。
【００６４】
図６（Ｃ）には、制御パラメータと制御指示の情報の一例を示してあり、具体的には、場所（本例では、部屋）を識別する“部屋ＩＤ”と、個人情報及び場所情報を検査した時間である“検査時間”と、所定の場所に存在する人の数である“在室者人数”と、設定室温とされる“希望平均室温”と、現在の室温である“現在室温”と、サービス機器４として用いられている識別情報“空調機０１”に対応する空調機の設定態様“空調機０１の設定”とが対応付けられて、時間（ｔ）の流れに沿って蓄積されている。なお、“部屋ＩＤ”と “検査時間”と “在室者人数”と “希望平均室温”と “現在室温”が制御パラメータの情報を構成しており、“空調機０１の設定”が制御指示の情報を構成している。
【００６５】
例えば、“場所ＩＤ”が“１０１”である所定の場所において、“１０：００”の検査時間には“在室者人数”が“０”（人）であり、その後、“１０：０５”の検査時間には“１”（人）であり、その後、“１０：１０”の検査時間以降には“２”（人）である。また、“１０：０５”の検査時間には“希望平均室温”は“１８”（度）であり、その後、“１０：１０”の検査時間以降には“２０”（度）である。また、“１０：１０”の検査時間以前では、“現在室温”は“２４”（度）であり、識別情報“空調機０１”に対応する空調機は停止状態（“Ｏｆｆ：−：−”）であり、その後、“１０：１５”の検査時間では、“現在室温”は“２２”（度）であり、識別情報“空調機０１”に対応する空調機は設定室温を２０度として中の風力で動作中（“Ｏｎ：２０：中”）である。
【００６６】
本例では、制御ルールとして、所定の場所である部屋にいる各人が希望する室温（希望室温）の平均値（希望室温平均）を設定すべき室温（設定室温）として、当該設定室温を当該部屋の空調機（“空調機０１”）に設定して、これに際して、センサ２として用いられる当該部屋の室温計（“室温計００”）により得られる室温と設定室温との差によって風力を調整するルールが用いられている。
【００６７】
また、本例では、図６（Ｃ）に示される制御ルールに適用する制御パラメータは、５分間隔で検査されて算出される。制御パラメータである“在室者人数”は、図６（Ｂ）に示される“在室者ＩＤ”の数から算出される。制御パラメータである“希望室温平均”は、図６（Ａ）に示される個人情報及び図６（Ｂ）に示される場所情報の最新の情報を検出して、各在室者の“希望室温”の平均値として算出される。制御パラメータである“現在室温”は、図６（Ｂ）に示される“機器状態”中の“室温計００”に対応する値を参照して求められる。
【００６８】
サービス制御装置５では、図６（Ｃ）に示される制御パラメータに基づいて制御ルール編集部３３により同図（Ｃ）に示される制御指示の情報を生成して、サービス指示部３５により空調機（“空調機０１”）に対して当該制御指示を実行する。本例では、“在室者人数”が“２”（人）以上となったときにサービス制御処理を開始する設定となっており、具体的には、図６（Ｃ）に示されるように“１０：１０”の時間における制御パラメータに基づいて制御指示の情報が生成されて当該制御指示が実行され、これによる室温や空調機動作状態の変化が図６（Ｂ）に示されるように“１０：１２”の時間に確認されている。
なお、例えば、検査時間の間隔を大きくすることや、“希望室温平均”などについて一定時間における平均値を使用することなどにより、サービス機器４に対する制御を緩やかにすることも可能である。
【００６９】
このように、本例では、各個人が希望する室温を個人情報保持装置１に設定して、サービス制御装置５が各個人が希望する室温の平均値及び場所情報獲得装置３から得られる所定の場所の温度などの情報（場所情報）と制御ルールに従って、サービス機器４である空調機の温度設定や送風機の強さ（風力）を制御することができる。また、例えば、室温の変化を大きく希望する人の方向へ空調機からの出力（風）を向ける態様などにより、空調機の風向きを制御することも可能である。
【実施例２】
【００７０】
本発明の第２実施例を説明する。
本例では、場所サービス制御システムの適用対象となる場所として音楽会場や休憩室などの部屋を用いており、センサ２として音声を検出する集音マイクを用いており、サービス機器４として音楽を演奏する音響設備を用いている。そして、環境音楽設定を制御する。
【００７１】
具体的には、所定の場所に存在する各個人は、例えばＰＤＡなどから構成される個人情報保持装置１にリクエストを希望する楽曲を設定しておき、サービス制御装置５は、各個人によりリクエストされる楽曲を集計して得票の高い順にリストを作成して、得票の高い順に演奏されるようにサービス機器４である音響設備を制御する。
【００７２】
また、所定の場所には、センサ２である集音マイクが複数箇所に設置されており、また、音楽を出力するスピーカが複数箇所に設置されている。それぞれの集音マイクはそれぞれの設置場所における音声の検出レベルに基づいてそれぞれの設置場所における人による会話の有無を検出し、場所情報獲得装置３は当該検出結果の情報をサービス制御装置５へ送信する。サービス制御装置５は、人が会話中であることが検出された集音マイクの設置場所の近くに設置されたスピーカからの出力レベル（音のボリューム）の設定を低くするように、サービス機器４である音響設備に対して制御指示を発する。
【００７３】
また、サービス制御装置５では、例えば、個人情報保持装置１から個人情報として取得される楽曲に対するリクエストの数と、場所情報獲得装置３から場所情報として取得される所定の場所内における人々の会話の状況に基づいて、所定の制御ルールに従って、リクエストの数が多くて人々の会話が少ない場合には当該楽曲の音量を高める態様や、リクエストの数は多いが人々の会話が多い場合には当該楽曲の音量を低める態様や、リクエストの数が少なくて人々の会話が多い場合には当該楽曲の音量を低める態様や、リクエストの数は少ないが人々の会話が少ない場合には当該楽曲の音量を高める態様や、リクエストの数と人々の会話の量に基づいて算出される音量に設定する態様などにより、サービス機器４である音響設備を制御することが可能である。
【実施例３】
【００７４】
本発明の第３実施例を説明する。
本例では、場所サービス制御システムの適用対象となる場所として会議室や休憩室などの部屋或いは休憩スペースなどの領域を用いており、センサ２として人の顔を検出する顔検出装置や人の位置を検出する人位置センサを用いており、サービス機器４として情報表示装置を用いている。そして、情報表示を制御する。
【００７５】
具体的には、所定の場所に存在する各個人は、例えばＰＤＡなどから構成される個人情報保持装置１に、自分が興味を持っているニュースや製品などの分野（カテゴリ）やキーワードを設定しておく。所定の場所には、例えばパーソナルコンピュータに接続されたプロジェクタなどの情報表示装置が設置されている。サービス制御装置５は、各個人が興味を持っているニュースなどのカテゴリやキーワードを集計して得票の高い順にリストを作成して、得票の高い順に、例えばインターネット上でニュースなどの情報を検索して、当該検索した情報を情報表示装置により順次表示するように制御する。
【００７６】
また、情報表示装置上には顔検出装置が設けられている。顔検出装置は、情報表示装置の画面を見ている人の顔を検出することにより、情報表示装置の画面を見ている人の数を検出し、場所情報獲得装置３は当該検出される人数の情報をサービス制御装置５へ送信する。サービス制御装置５は、情報表示装置の画面を見ている人の数に応じて現在に表示しているニュースなどの表示時間を調整するように、情報表示装置を制御する。
【００７７】
例えば、５人以上などといった所定の閾値以上（或いは、所定の閾値を超える）人が見ている場合には画面表示を停止させる或いはゆっくりと表示させることや、３人以上５人未満の人が見ている場合には画面表示を３０秒間で切り替えることや、２人以下の人が見ている場合には画面表示を１０秒間で切り替えることなどができる。
また、例えば、所定の場所に存在する人の総数に対する情報表示装置の画面を見ている人の数の割合に基づいて情報表示装置の表示態様を制御することや、所定の場所に存在する各個人の興味のレベル及び情報表示装置を見ている人の数に基づいて情報表示装置の表示態様を制御することなどができる。
【００７８】
また、他の例として、所定の場所に、複数の情報表示装置を設置して、人の位置を検出する人位置センサを設置することにより、或るニュースに興味を持っている人の近くの情報表示装置に当該或るニュースを表示するように制御することや、多くの人が興味を持っているニュースを最も多くの人が見ることのできるメインの情報表示装置に表示するように制御することなどができる。
また、例えば、一つの情報表示装置にマルチ画面で情報を表示する場合に、多くの人が興味を持っているニュースの表示領域を最も大きくするように制御することなどができる。
【００７９】
このように、サービス制御装置５では、個人情報保持部１から個人情報として各個人が興味を持っているニュースの内容や興味のレベルなどの情報を取得し、場所情報獲得装置３から場所情報として情報表示装置の画面を見ている人の数や各個人が存在する居場所などの情報を取得して、所定の制御ルールに従って、これらの情報から決定される態様で、情報表示装置を制御することができる。
【００８０】
以上のように、本実施例に係る場所サービス制御システムでは、個人に関する情報と場所に関する情報に基づいて、当該場所に存在する人に対するサービスの態様を制御することができ、本実施例では、個人情報と場所情報から得られる制御パラメータを制御ルールに適用して、サービス機器４に対する制御指示の情報を生成している。
また、本実施例に係る場所サービス制御システムでは、例えば、複数の人からの要求（例えば、室温などの個人情報）について、平均値や、和集合（ＯＲ）や、積集合（ＡＮＤ）などを使用して、制御パラメータを生成することができる。
【００８１】
また、本実施例に係る場所サービス制御システムでは、個人情報や、場所情報や、制御パラメータの生成手順や、制御ルールや、制御指示情報をそれぞれ独立して管理しているため、個人情報や、場所情報や、個人情報及び場所情報から制御パラメータを生成する手順や、制御ルールや、制御指示情報をそれぞれ独立して追加或いは変更などすることが可能であり、例えば、個人情報や場所情報の追加或いは変更などに伴う制御パラメータの登録、編集、削除や、制御ルールの登録、編集、削除を容易に行うことが可能なフレームワークを提供することができる。
【００８２】
このように、本実施例に係る場所サービス制御システムでは、複数の人が共有して利用する場所に対するサービスを、個人情報及び場所情報に基づいて制御することができる。また、入力情報や制御パラメータの生成手順や制御ルールや制御指示情報が独立させられて対応付けられるため、例えば、個人情報の種類や、場所情報の種類などが拡張されるような場合においても、容易に対応することが可能であり、汎用性や拡張性が高い。
【００８３】
なお、本実施例に係る場所サービス制御システムでは、個人情報保持装置１により個人情報取得装置が構成されており、場所情報獲得装置３により場所情報取得装置が構成されており、サービス制御装置５により場所サービス制御装置が構成されている。
また、本実施例に係る個人情報保持装置１では、情報入力・編集・表示部１１の機能により個人情報入力手段や情報表示手段が構成されており、情報蓄積部１２の機能により個人情報記憶手段が構成されており、情報通信部１３の機能により個人情報送信手段が構成されている。
また、本実施例に係る場所情報獲得装置３では、情報獲得部３の機能により場所情報取得手段が構成されており、情報通信部２２の機能により場所情報送信手段が構成されている。なお、場所情報獲得装置３とセンサ２（場所情報検出手段）とは、本実施例のように別体で設けられてもよく、或いは、一体化されてもよい。
【００８４】
また、本実施例に係るサービス制御装置５では、情報入力・編集・表示部３１の機能により情報入力手段や情報表示手段が構成されており、情報蓄積部３４の機能により情報記憶手段が構成されている。
また、本実施例に係るサービス制御装置５では、情報通信部３６の機能により個人情報受信手段や場所情報受信手段が構成されており、制御パラメータ生成手段を構成する制御パラメータ編集部３２の機能や、場所サービス制御指示情報生成手段を構成する制御ルール編集部３３の機能や、場所サービス制御指示手段を構成するサービス指示部３５の機能により場所サービス制御手段が構成されている。なお、サービス制御装置５とサービス機器４（場所サービス実行手段）とは、本実施例のように別体で設けられてもよく、或いは、一体化されてもよい。
【００８５】
ここで、本発明に係る場所サービス制御システムや各装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
【００８６】
また、本発明に係る場所サービス制御システムや各装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００８７】
【図１】本発明の一実施例に係る場所サービス制御システムの概略的な構成例を示す図である。
【図２】本発明の一実施例に係る場所サービス制御システムの機能構成例を示す図である。
【図３】本発明の一実施例に係る場所サービス制御システムのサービス制御装置により行われるサービス制御処理の手順の一例を示す図である。
【図４】（Ａ）は個人情報の一例を示す図であり、（Ｂ）は場所情報の一例を示す図である。
【図５】（Ａ）は個人情報及び場所情報の一例を示す図であり、（Ｂ）は制御パラメータの一例を示す図であり、（Ｃ）は制御ルールの一例を示す図であり、（Ｄ）は制御指示の一例を示す図である。
【図６】（Ａ）は個人情報の一例を示す図であり、（Ｂ）は場所情報の一例を示す図であり、（Ｃ）は制御パラメータ及び制御指示の一例を示す図である。
【符号の説明】
【００８８】
１・・個人情報保持装置、  ２・・センサ、  ３・・場所情報獲得装置、  ４・・サービス機器、  ５・・サービス制御装置、  １１、３１・・情報入力・編集・表示部、  １２、３４・・情報蓄積部、  １３、２２、３６・・情報通信部、  ２１・・情報獲得部、  ３２・・制御パラメータ編集部、  ３３・・制御ルール編集部、  ３５・・サービス指示部、
【図１】
2005208788.tif 000003
【図２】
2005208788.tif 000004
【図３】
2005208788.tif 000005
【図４】
2005208788.tif 000006
【図５】
2005208788.tif 000007
【図６】
2005208788.tif 000008